(57)【要約】【課題】ユーザが画像処理装置で印刷設定を変更して印刷を行うにあたり、ユーザにとって効率良く印刷を行うことが可能な画像処理装置、システム、制御方法、及びプログラムを提供すること【解決手段】画像処理装置１０２では、情報処理装置１０４から送信された印刷データを用いて印刷物を出力するが、ユーザは、その印刷物がユーザの意図したものでなかった場合、画像処理装置１０２から情報処理装置１０４に対して、印刷結果がＮＧである旨の通知を指示し、その通知をトリガーにして、印刷データの元となったデータファイルを情報処理装置１０４及び画像処理装置１０２で共有し、ユーザは、画像処理装置１０２の操作部１１４を用いて印刷設定の変更を行い、変更された印刷設定に基づき共有したデータファイルを印刷データへ変更して印刷を行う。【選択図】図２
2016224721.tif 000002
【特許請求の範囲】
【請求項１】
印刷を所望するデータファイルを選択して印刷指示を行うことで印刷設定を含む印刷データを生成する情報処理装置と前記印刷データに基づいて印刷を行う画像処理装置とがネットワークを介して接続された画像処理システムであって、
前記情報処理装置は、
前記画像処理装置の要求手段によって要求されたデータファイを前記画像処理装置へ送信する画像処理装置送信手段と、
を備え、
前記画像処理装置は、
前記印刷設定の変更にかかる印刷設定変更情報を受付ける設定変更受付手段と、
前記設定変更受付手段によって印刷設定変更情報を受付けると前記情報処理装置に対して印刷すべくデータファイルを要求する要求手段と、
前記画像処理装置送信手段によって送信されたデータファイルを受信する第一の画像処理装置受信手段と、
前記第一の画像処理装置受信手段によって受信したデータファイルを記憶部へ記憶する記憶手段と、
前記設定変更受付手段によって受け付けた変更された印刷設定に基づいて印刷データを生成する画像処理装置生成手段と、
前記画像処理装置生成手段によって生成した印刷データを用いて印刷を行う印刷手段と、
を備えたことを特徴とする画像処理システム。
【請求項２】
前記情報処理装置は、
前記画像処理装置の変更手段によって変更された印刷設定にかかる情報を受信する情報処理装置受信手段と、
前記情報処理装置受信手段によって受信した変更された印刷設定に基づいて、印刷すべく前記データファイルから印刷データを生成する情報処理装置生成手段と、
前記情報処理装置生成手段によって生成した印刷データを前記画像処理装置へ送信する第二の情報処理装置送信手段と、
前記画像処理装置は、
前記設定変更受付手段で変更された印刷設定を用いて印刷不可である場合に、前記変更された印刷設定にかかる情報を送信する変更依頼手段と、
前記二の情報処理装置送信手段によって送信された印刷データを受信する第二の画像処理装置受信手段と、
を備え、
前記印刷手段は、前記第二の画像処理装置受信手段によって受信した印刷データを用いて印刷を行う請求項１に記載の画像処理システム
【請求項３】
印刷を所望するデータファイルを選択して印刷指示を行うことで印刷設定を含む印刷データを生成する情報処理装置とネットワークを介して接続された前記印刷データに基づいて印刷を行う画像処理装置であって、
前記情報処理装置は、
前記画像処理装置の要求手段によって要求されたデータファイを前記画像処理装置へ送信する画像処理装置送信手段、
を備え、
前記画像処理装置は、
前記印刷設定の変更にかかる印刷設定変更情報を受付ける設定変更受付手段と、
前記設定変更受付手段によって印刷設定変更情報を受付けると前記情報処理装置に対して印刷すべくデータファイルを要求する要求手段と、
前記要求手段によって要求されたデータファイを前記情報処理装置から受付ける受付手段と、
前記受付手段によって受付けたデータファイルを受信する第一の画像処理装置受信手段と、
前記第一の画像処理装置受信手段によって受信したデータファイルを記憶部へ記憶する記憶手段と、
前記設定変更受付手段によって受け付けた変更された印刷設定に基づいて印刷データを生成する画像処理装置生成手段と、
前記画像処理装置生成手段によって生成した印刷データを用いて印刷を行う印刷手段と、
を備えたことを特徴とする画像処理装置。
【請求項４】
印刷を所望するデータファイルを選択して印刷指示を行うことで印刷設定を含む印刷データを生成する情報処理装置と前記印刷データに基づいて印刷を行う画像処理装置とがネットワークを介して接続された画像処理システムの制御方法であって、
前記情報処理装置は、
前記画像処理装置の要求ステップによって要求されたデータファイを前記画像処理装置へ送信する画像処理装置送信ステップ、
を実行し、
前記画像処理装置は、
前記印刷設定の変更にかかる印刷設定変更情報を受付ける設定変更受付ステップと、
前記設定変更受付ステップによって印刷設定変更情報を受付けると前記情報処理装置に対して印刷すべくデータファイルを要求する要求ステップと、
前記画像処理装置送信ステップによって送信されたデータファイルを受信する第一の画像処理装置受信ステップと、
前記第一の画像処理装置受信ステップによって受信したデータファイルを記憶部へ記憶する記憶ステップと、
前記設定変更受付ステップによって受け付けた変更された印刷設定に基づいて印刷データを生成する画像処理装置生成ステップと、
前記画像処理装置生成ステップによって生成した印刷データを用いて印刷を行う印刷ステップと、
を実行することを特徴とする画像処理システムの制御方法。
【請求項５】
印刷を所望するデータファイルを選択して印刷指示を行うことで印刷設定を含む印刷データを生成する情報処理装置とネットワークを介して接続された前記印刷データに基づいて印刷を行う画像処理装置の制御方法であって、
前記情報処理装置は、
前記画像処理装置の要求ステップによって要求されたデータファイを前記画像処理装置へ送信する画像処理装置送信ステップ、
を実行し、
前記画像処理装置は、
前記印刷設定の変更にかかる印刷設定変更情報を受付ける設定変更受付ステップと、
前記設定変更受付ステップによって印刷設定変更情報を受付けると前記情報処理装置に対して印刷すべくデータファイルを要求する要求ステップと、
前記要求ステップによって要求されたデータファイを前記情報処理装置から受付ける受付ステップと、
前記受付ステップによって受付けたデータファイルを受信する第一の画像処理装置受信ステップと、
前記第一の画像処理装置受信ステップによって受信したデータファイルを記憶部へ記憶する記憶ステップと、
前記設定変更受付ステップによって受け付けた変更された印刷設定に基づいて印刷データを生成する画像処理装置生成ステップと、
前記画像処理装置生成ステップによって生成した印刷データを用いて印刷を行う印刷ステップと、
を実行することを特徴とする画像処理装置の制御方法。
【請求項６】
印刷を所望するデータファイルを選択して印刷指示を行うことで印刷設定を含む印刷データを生成する情報処理装置と前記印刷データに基づいて印刷を行う画像処理装置とがネットワークを介して接続された画像処理システムで読み取り実行可能なプログラムであって、
前記情報処理装置を、
前記画像処理装置の要求手段によって要求されたデータファイを前記画像処理装置へ送信する画像処理装置送信手段、
として機能させ、
前記画像処理装置を、
前記印刷設定の変更にかかる印刷設定変更情報を受付ける設定変更受付手段と、
前記設定変更受付手段によって印刷設定変更情報を受付けると前記情報処理装置に対して印刷すべくデータファイルを要求する要求手段と、
前記画像処理装置送信手段によって送信されたデータファイルを受信する第一の画像処理装置受信手段と、
前記第一の画像処理装置受信手段によって受信したデータファイルを記憶部へ記憶する記憶手段と、
前記設定変更受付手段によって受け付けた変更された印刷設定に基づいて印刷データを生成する画像処理装置生成手段と、
前記画像処理装置生成手段によって生成した印刷データを用いて印刷を行う印刷手段と、
して機能させることを特徴とするプログラム。
【請求項７】
印刷を所望するデータファイルを選択して印刷指示を行うことで印刷設定を含む印刷データを生成する情報処理装置とネットワークを介して接続された前記印刷データに基づいて印刷を行う画像処理装置で読み取り実行可能なプログラムであって、
前記情報処理装置を、
前記画像処理装置の要求手段によって要求されたデータファイを前記画像処理装置へ送信する画像処理装置送信手段、
として機能させ、
前記画像処理装置を、
前記印刷設定の変更にかかる印刷設定変更情報を受付ける設定変更受付手段と、
前記設定変更受付手段によって印刷設定変更情報を受付けると前記情報処理装置に対して印刷すべくデータファイルを要求する要求手段と、
前記要求手段によって要求されたデータファイを前記情報処理装置から受付ける受付手段と、
前記受付手段によって受付けたデータファイルを受信する第一の画像処理装置受信手段と、
前記第一の画像処理装置受信手段によって受信したデータファイルを記憶部へ記憶する記憶手段と、
前記設定変更受付手段によって受け付けた変更された印刷設定に基づいて印刷データを生成する画像処理装置生成手段と、
前記画像処理装置生成手段によって生成した印刷データを用いて印刷を行う印刷手段と、
して機能させることを特徴とするプログラム。
【発明の詳細な説明】
【技術分野】
【０００１】
本発明は、画像処理装置で印刷物を出力した後、印刷設定を変更した後、再度、印刷を行う画像処理装置、画像処理システム、制御方法、及びプログラム
【背景技術】
【０００２】
ユーザがクライアント端末に導入されたプリンタドライバを使用して、印刷を望むデータファイルを選択して印刷指示を行った後、ユーザは印刷物が出力される画像処理装置へ移動し、当該画像処理装置に対して印刷指示を行うことで印刷がなされる画像処理システムが存在する。
【０００３】
このような画像処理システムにおいては、ユーザは、印刷出力された印刷物を見て、自身が思い描いていたレイアウト等と異なるようなケースが多々存在する。
【０００４】
この場合、再度、自身のクライアント端末へ戻り、先程、印刷対象としたデータファイルを探して選択した後、先程印刷した際の印刷設定を変更して、印刷指示を行うようなことがなされている。
【０００５】
再印刷をする際に、画像処理装置で印刷設定を変更し、印刷物を出力することが可能であれば、クライアント端末へ戻り再印刷を行うユーザの手間を抑止することが可能となるが、クライアント端末に導入されたプリンタドライバでは、データファイルに対して印刷設定に基づく、ＰＤＬ形式等の印刷データを生成している。
【０００６】
そして、画像処理装置においては、このような印刷データを受信して印刷を行うが、画像処理装置自身では、この印刷データに対して印刷設定の変更を行って、再度、印刷を行うことができないという課題が存在する。
【０００７】
このような課題を解決する方法として、クライアント端末では、ＰＤＬ形式の印刷データ生成前の中間の印刷データを作成してプリントサーバへ送信しておき、ユーザが印刷を行いたい画像処理装置へ移動して印刷指示を行うと、画像処理装置からプリントサーバへ印刷指示がなされた後、中間の印刷データをＰＤＬ形式の印刷データへ変換することで、画像処理装置で設定したい印刷設定を実現することが可能な方法が存在する(例えば、特許文献１参照)。
【先行技術文献】
【特許文献】
【０００８】
【特許文献１】特開２０１２−７８９９９号公報
【発明の概要】
【発明が解決しようとする課題】
【０００９】
しかしながら、先行技術文献１に開示されている技術に関しては、クライアント端末では、プリントサーバに接続された複数の画像処理装置に対して共通の印刷設定のなかから、ユーザが所望する印刷設定を選択して印刷指示を行うものである。
【００１０】
そして、この共通の印刷設定に基づいて中間の印刷データを生成して、プリントサーバへ送信し、画像処理装置において印刷設定の変更を行った後、プリントサーバにおいて当該印刷設定に基づいて中間の印刷データからＰＤＬ形式の印刷データへ変換して画像処理装置へ送信して印刷するものである。
【００１１】
このような構成を備えるため、ユーザが画像処理装置で印刷設定の変更を指示してから、印刷までに要する時間がかかる等（例えば、画像処理装置からプリントサーバへ印刷設定情報を送信する時間、印刷指示された画像処理装置に見合うように中間の印刷データからＰＤＬ形式の印刷データの変換に要する時間、プリントサーバからＰＤＬ形式の印刷データを送信する時間など）から、ユーザが印刷物をスムーズに受取ることが難しい状況が生じうる。
【００１２】
そこで、本発明では、ユーザが画像処理装置で印刷設定を変更して印刷を行うにあたり、ユーザにとって効率良く印刷を行うことが可能な画像処理装置、システム、制御方法、及びプログラムを提供することを目的とする。
【課題を解決するための手段】
【００１３】
上記課題を解決するための第１の発明は、印刷を所望するデータファイルを選択して印刷指示を行うことで印刷設定を含む印刷データを生成する情報処理装置と前記印刷データに基づいて印刷を行う画像処理装置とがネットワークを介して接続された画像処理システムであって、前記情報処理装置は、前記画像処理装置の要求手段によって要求されたデータファイを前記画像処理装置へ送信する画像処理装置送信手段と、を備え、前記画像処理装置は、前記印刷設定の変更にかかる印刷設定変更情報を受付ける設定変更受付手段と、前記設定変更受付手段によって印刷設定変更情報を受付けると前記情報処理装置に対して印刷すべくデータファイルを要求する要求手段と、前記画像処理装置送信手段によって送信されたデータファイルを受信する第一の画像処理装置受信手段と、前記第一の画像処理装置受信手段によって受信したデータファイルを記憶部へ記憶する記憶手段と、前記設定変更受付手段によって受け付けた変更された印刷設定に基づいて印刷データを生成する画像処理装置生成手段と、前記画像処理装置生成手段によって生成した印刷データを用いて印刷を行う印刷手段と、を備えたことを特徴とする。
【００１４】
上記課題を解決するための第２の発明は、印刷を所望するデータファイルを選択して印刷指示を行うことで印刷設定を含む印刷データを生成する情報処理装置とネットワークを介して接続された前記印刷データに基づいて印刷を行う画像処理装置であって、前記情報処理装置は、前記画像処理装置の要求手段によって要求されたデータファイを前記画像処理装置へ送信する画像処理装置送信手段、を備え、前記画像処理装置は、前記印刷設定の変更にかかる印刷設定変更情報を受付ける設定変更受付手段と、前記設定変更受付手段によって印刷設定変更情報を受付けると前記情報処理装置に対して印刷すべくデータファイルを要求する要求手段と、前記要求手段によって要求されたデータファイを前記情報処理装置から受付ける受付手段と、前記受付手段によって受付けたデータファイルを受信する第一の画像処理装置受信手段と、前記第一の画像処理装置受信手段によって受信したデータファイルを記憶部へ記憶する記憶手段と、前記設定変更受付手段によって受け付けた変更された印刷設定に基づいて印刷データを生成する画像処理装置生成手段と、前記画像処理装置生成手段によって生成した印刷データを用いて印刷を行う印刷手段と、を備えたことを特徴とする。
【００１５】
上記課題を解決するための第３の発明は、印刷を所望するデータファイルを選択して印刷指示を行うことで印刷設定を含む印刷データを生成する情報処理装置と前記印刷データに基づいて印刷を行う画像処理装置とがネットワークを介して接続された画像処理システムの制御方法であって、前記情報処理装置は、前記画像処理装置の要求ステップによって要求されたデータファイを前記画像処理装置へ送信する画像処理装置送信ステップ、を実行し、前記画像処理装置は、前記印刷設定の変更にかかる印刷設定変更情報を受付ける設定変更受付ステップと、前記設定変更受付ステップによって印刷設定変更情報を受付けると前記情報処理装置に対して印刷すべくデータファイルを要求する要求ステップと、前記画像処理装置送信ステップによって送信されたデータファイルを受信する第一の画像処理装置受信ステップと、前記第一の画像処理装置受信ステップによって受信したデータファイルを記憶部へ記憶する記憶ステップと、前記設定変更受付ステップによって受け付けた変更された印刷設定に基づいて印刷データを生成する画像処理装置生成ステップと、前記画像処理装置生成ステップによって生成した印刷データを用いて印刷を行う印刷ステップと、を実行することを特徴とする。
【００１６】
上記課題を解決するための第４の発明は、印刷を所望するデータファイルを選択して印刷指示を行うことで印刷設定を含む印刷データを生成する情報処理装置とネットワークを介して接続された前記印刷データに基づいて印刷を行う画像処理装置の制御方法であって、前記情報処理装置は、前記画像処理装置の要求ステップによって要求されたデータファイを前記画像処理装置へ送信する画像処理装置送信ステップ、を実行し、前記画像処理装置は、前記印刷設定の変更にかかる印刷設定変更情報を受付ける設定変更受付ステップと、前記設定変更受付ステップによって印刷設定変更情報を受付けると前記情報処理装置に対して印刷すべくデータファイルを要求する要求ステップと、前記要求ステップによって要求されたデータファイを前記情報処理装置から受付ける受付ステップと、前記受付ステップによって受付けたデータファイルを受信する第一の画像処理装置受信ステップと、前記第一の画像処理装置受信ステップによって受信したデータファイルを記憶部へ記憶する記憶ステップと、前記設定変更受付ステップによって受け付けた変更された印刷設定に基づいて印刷データを生成する画像処理装置生成ステップと、前記画像処理装置生成ステップによって生成した印刷データを用いて印刷を行う印刷ステップと、を実行することを特徴とする。
【００１７】
上記課題を解決するための第５の発明は、印刷を所望するデータファイルを選択して印刷指示を行うことで印刷設定を含む印刷データを生成する情報処理装置と前記印刷データに基づいて印刷を行う画像処理装置とがネットワークを介して接続された画像処理システムで読み取り実行可能なプログラムであって、前記情報処理装置を、前記画像処理装置の要求手段によって要求されたデータファイを前記画像処理装置へ送信する画像処理装置送信手段、として機能させ、前記画像処理装置を、前記印刷設定の変更にかかる印刷設定変更情報を受付ける設定変更受付手段と、前記設定変更受付手段によって印刷設定変更情報を受付けると前記情報処理装置に対して印刷すべくデータファイルを要求する要求手段と、前記画像処理装置送信手段によって送信されたデータファイルを受信する第一の画像処理装置受信手段と、前記第一の画像処理装置受信手段によって受信したデータファイルを記憶部へ記憶する記憶手段と、前記設定変更受付手段によって受け付けた変更された印刷設定に基づいて印刷データを生成する画像処理装置生成手段と、前記画像処理装置生成手段によって生成した印刷データを用いて印刷を行う印刷手段と、して機能させることを特徴とする。
【００１８】
上記課題を解決するための第６の発明は、印刷を所望するデータファイルを選択して印刷指示を行うことで印刷設定を含む印刷データを生成する情報処理装置とネットワークを介して接続された前記印刷データに基づいて印刷を行う画像処理装置で読み取り実行可能なプログラムであって、前記情報処理装置を、前記画像処理装置の要求手段によって要求されたデータファイを前記画像処理装置へ送信する画像処理装置送信手段、として機能させ、前記画像処理装置を、前記印刷設定の変更にかかる印刷設定変更情報を受付ける設定変更受付手段と、前記設定変更受付手段によって印刷設定変更情報を受付けると前記情報処理装置に対して印刷すべくデータファイルを要求する要求手段と、前記要求手段によって要求されたデータファイを前記情報処理装置から受付ける受付手段と、前記受付手段によって受付けたデータファイルを受信する第一の画像処理装置受信手段と、前記第一の画像処理装置受信手段によって受信したデータファイルを記憶部へ記憶する記憶手段と、前記設定変更受付手段によって受け付けた変更された印刷設定に基づいて印刷データを生成する画像処理装置生成手段と、前記画像処理装置生成手段によって生成した印刷データを用いて印刷を行う印刷手段と、して機能させることを特徴とする。
【発明の効果】
【００１９】
本発明により、ユーザが画像処理装置で印刷設定を変更して印刷を行うにあたり、ユーザにとって効率良く印刷を行うことができる、という効果を奏する。
【図面の簡単な説明】
【００２０】
【図１】本発明の実施形態にかかる画像処理システムの概略構成を示す構成図である。
【図２】本発明の実施形態において、共有したデータファイルを使用して印刷する流れを説明するための説明図である。
【図３】本発明の実施形態において、画像処理装置から印刷設定の変更にかかる情報を通知して再印刷する流れを示す説明図である。
【図４】本発明の実施形態にかかる画像処理システムで実行される再印刷の処理の流れを示すフローチャートである。
【図５】本発明の実施形態にかかる再印刷実行画面の構成を示す構成図である。
【図６】本発明の実施形態にかかる印刷設定画面の構成を示す構成図である。
【図７】本発明の実施形態にかかるページ集約画面の構成を示す構成図である。
【図８】本発明の実施形態にかかる送信中通知画面の構成を示す構成図である。
【発明を実施するための形態】
【００２１】
以下、本発明を実施するための最良の形態について図面を用いて説明する。
【００２２】
図１は、本発明に係る画像処理システム１００の概略構成を示す構成図であり、画像処理システム１００は、画像処理装置１０２、情報処理装置１０４、及び情報処理装置１０６を含む構成を備えており、各機器については、ネットワーク１０８を介して接続されている。
【００２３】
画像処理装置１０２は、原稿をスキャンすることで画像データを取得するためのリーダ部１１０と、画像データの印刷処理を行うプリンタ部１１２と、画像データの入出力操作を行うキーボード、及び画像データや各種機能の表示などを行う液晶パネルを備えた操作部１１４と、制御プログラムや画像データ等が予め書き込まれたハードディスクドライブ等の記憶部１１６を装着し、これら各構成要素に接続されて該構成要素を制御する単一の電子部品からなるコントローラ部１１８とから構成されている。
【００２４】
リーダ部１１０は、原稿用紙を搬送する原稿給紙ユニット１２０と、原稿画像を光学的に読み取って電気信号としての画像データに変換するスキャナ部１２２とを有し、プリンタ部１１２は、記録用紙を収容する複数段の給紙カセットを備えた給紙ユニット１２４と画像データを記録用紙に転写、定着するマーキングユニット１２６と印字された記録用紙にソート処理やステイプル処理を施して、外部に排出する排紙ユニット１２８とを有している。
【００２５】
コントローラ部１１８は自身を制御するＣＰＵ（Central  Processing  Unit)を搭載する（ＣＰＵ１３０）。
【００２６】
また、プリンタ部１１２はマーキングユニット１２６を制御し、排紙ユニット１２８及び給紙ユニット１２４と通信し、プリンタ部１１２全体の制御を司るＣＰＵとしてＣＰＵ１３２をマーキングユニット１２６に搭載する。
【００２７】
排紙ユニット１２８、給紙ユニット１２４もそれぞれの制御を行うＣＰＵ１３４及びＣＰＵ１３６を搭載する。
【００２８】
ＣＰＵ１３０とＣＰＵ１３２は、プリンタＩＦ１３８で通信を行い、また画像データの転送はビデオバス１４０で行う。
【００２９】
さらにマーキングユニット１２６のＣＰＵ１３２と排紙ユニット１２８のＣＰＵ１３４はフィニッシャＩＦ１４２で、またマーキングユニット１２６のＣＰＵ１３２と給紙ユニット１２４のＣＰＵ１３６はインプットＩＦ１４４でそれぞれ通信を行う。
【００３０】
またコントローラ部１１８は画像処理部１４６を有し、画像処理部１４６は、内部で画像合成処理やエンジンに適したＬＵＴ（Look  Up  Table)変換やハーフトーン化等の画像処理を行うことが可能である。
【００３１】
画像処理部１４６で画像処理を行った画像はビデオバス１４０を介してマーキングユニット１２６に転送することで記録用紙に可視像として印刷することが可能となる。
【００３２】
図２を用いて、本発明の実施形態にかかる画像処理システム１００において、画像処理装置１０２で印刷設定を変更し、再度、印刷を行う手順例に関して説明を行う。
【００３３】
ユーザが情報処理装置１０４を用いて、印刷を所望するデータファイルを指定して、プリンタドライバを用いて印刷指示を行うと、印刷データを生成して画像処理装置１０２に送信する。
【００３４】
画像処理装置１０２では、情報処理装置１０４から送信された印刷データを受信し、当該印刷データを用いて印刷物を出力する。
【００３５】
ユーザは、その印刷物がユーザの意図したものでなかった場合、画像処理装置１０２から情報処理装置１０４に対して、印刷結果がＮＧである旨の通知を送信する。
【００３６】
その通知をトリガーにし印刷データの元となったデータファイルを情報処理装置１０４及び画像処理装置１０２で共有する。
【００３７】
ユーザは、画像処理装置１０２の操作部１１４を用いて、印刷設定の変更を行い、画像処理装置１０２で画像処理が可能な印刷設定であった場合は、共有したデータファイルを使用し印刷後、共有したデータファイルを削除する。
【００３８】
図３を用いて、本発明の実施形態にかかる画像処理システム１００において、画像処理装置１０２で印刷設定を変更し、再度、印刷を行う手順の別例に関して説明を行う。
【００３９】
ユーザが情報処理装置１０４を用いて、印刷を所望するデータファイルを指定して、プリンタドライバを用いて印刷指示を行うと、印刷データを生成して画像処理装置１０２に送信する。
【００４０】
画像処理装置１０２では、情報処理装置１０４から送信された印刷データを受信し、当該印刷データを用いて印刷物を出力する。
【００４１】
ユーザは、その印刷物がユーザの意図したものでなかった場合、画像処理装置１０２から情報処理装置１０４に対して、印刷結果がＮＧである旨の通知を送信する。
【００４２】
その通知をトリガーにし印刷データの元となったデータファイルを情報処理装置１０４及び画像処理装置１０２で共有する。
【００４３】
ユーザは、画像処理装置１０２の操作部１１４を用いて、印刷設定の変更を行い、画像処理装置１０２で画像処理が不可能な印刷設定であった場合は、変更した印刷設定にかかる変更情報を情報処理装置１０４へ送信する。
【００４４】
そして、情報処理装置１０４では、画像処理装置１０２から受信した変更情報に基づき、共有したデータファイルを用いて印刷データを再度作成し、画像処理装置１０２へ送信する。画像処理装置１０２において、当該印刷データを印刷すると、共有したデータファイルの削除を行う。
【００４５】
図４は、本発明の実施形態に係る画像処理システムで実行される再印刷処理を示すフローチャートである。
【００４６】
ステップＳ１００では、情報処理装置１０４において、ユーザによって選択された印刷を所望するデータファイルに対して、プリンタドライバを介して、印刷設定及び印刷実行の指示を受け付ける。
【００４７】
ステップＳ１０２では、情報処理装置１０４において、ステップＳ１００において設定された印刷設定に基づくデータファイルを画像処理装置１０２で印刷実行可能なように印刷データを生成する。当該印刷データについては画像処理装置１０２自身で印刷設定等の変更を行うことが不可能なデータである。
【００４８】
ステップＳ１０４では、情報処理装置１０４において、ステップＳ１０２で生成された印刷データを画像処理装置１０２へ送信する。
【００４９】
ステップＳ１０６では、画像処理装置１０２において、ステップＳ１０４で情報処理装置１０４から送信された印刷データを受信して記憶部１１６へ記憶する。
【００５０】
ステップＳ１０８では、画像処理装置１０２において、ユーザによってログインがなされたか否か（例えば、ユーザを特定するＩＣカードを画像処理装置１０２へ翳して認証を行ったり、ユーザを特定するユーザＩＤやパスワードを入力さて認証させる等の方法を用いる）を判定し、認証されたらステップＳ１１０へ処理を進める。
【００５１】
ステップＳ１１０では、画像処理装置１０２において、記憶部１１６に記憶した印刷データのうち印刷指示を受付け、ステップＳ１１２では、画像処理装置において、ステップＳ１１０で印刷指示を受付けた印刷データを用いて印刷を実行する。
【００５２】
ステップＳ１１４では、画像処理装置１０２において、図５に示す再印刷実行画面を表示する。
【００５３】
図５には、再印刷実行画面２００の構成を示しており、再印刷実行画面２００は、印刷設定を変更して、再度、印刷を行うか否かをユーザに対して表示選択するための画面であり、再印刷を行う際に、はいボタン２０２を押下し、再印刷を行わない場合、いいえボタン２０４を押下する。
【００５４】
なお、本ステップでは、印刷を実行すると再印刷実行画面２００を表示する態様を備えるが、次の印刷などを行うべくメニュー画面に再印刷を行うためのボタンを備えさせておき、このボタンが押下されると、本ステップの処理を実行しても良い。
【００５５】
ステップＳ１１６では、画像処理装置１０２において、再印刷するか否かを判定する。再印刷実行画面２００のはいボタン２０２が押下されたら再印刷すると判定してステップＳ１１８へ処理を進め、いいえボタン２０４が押下されたら再印刷しないと判定して処理を終了する。
【００５６】
はいボタン２０２、あるいは、いいえボタン２０４が押下されるのは、ユーザが印刷中に誤った印刷設定に気づき、印刷中に押下されても良いし、ユーザが印刷物を見た後、印刷処理が終了した後に押下されても良い。
【００５７】
ステップＳ１１８では、画像処理装置１０２において、印刷結果がＮＧである旨を示す情報を情報処理装置１０４へ送信し、ステップＳ１２０では、情報処理装置１０４において、ステップＳ１１８で送信された印刷結果がＮＧである旨を示す情報を受信する。
【００５８】
ステップＳ１２２では、情報処理装置１０４において、ステップＳ１００で印刷指示を行ったデータファイルを複製する。
【００５９】
尚、データファイルの特定の方法については、画像処理装置１０２から印刷結果が通知されるまでステップ１００で選択されたデータファイルを選択状態としておき、印刷結果がＮＧである旨を示す情報を受信した際に、この選択状態であるデータファイルを特定する。
【００６０】
あるいは、ステップＳ１０２において印刷データを生成する際に、情報処理装置１０４において、データファイルの名称や当該データファイルの保管先に関わる情報を含めて生成しておき、画像処理装置１０２から送信される印刷結果がＮＧである旨を示す情報に、データファイルの名称や当該データファイルの保管先に関わる情報を含めて送信することで、情報処理装置１０４では、データファイルの名称や当該データファイルの保管先に関わる情報に基づいて、データファイルを特定しても良い。尚、データファイルの特定方法は、このような態様に限定されることなく、他の態様でもよい。
【００６１】
ステップＳ１２４では、情報処理装置１０４において、ステップＳ１２２で複製して得られたデータファイルを画像処理装置１０２の予め定められた所定の共有領域へ送信する。
【００６２】
ここで示される共有領域とは、画像処理装置１０２の記憶部１１６に備えた情報処理装置１０４及び画像処理装置１０２の双方でアクセス可能な領域を示しており、例えば、ボックスと言われる機能によって提供されるものである。尚、この領域は、フォルダであってもテーブルであっても何れの構成でもよく、双方でアクセス可能な記憶領域であればよい。
【００６３】
ステップＳ１２６では、画像処理装置１０２において、ステップＳ１２４で情報処理装置１０４から送信されたデータファイルを受信し、ステップＳ１２８では、画像処理装置１０２において、ステップＳ１２６で受信したデータファイルを当該所定の共有領域へ記憶する。
【００６４】
ステップＳ１３０では、画像処理装置１０２において、図６に示す印刷設定画面を表示する。
【００６５】
図６には、印刷設定画面３００の構成を示しており、印刷設定画面３００では、両面印刷、濃度、製本印刷、ページの割付等の印刷設定にかかる設定を行うための画面である。
【００６６】
印刷設定画面３００が備える機能の例として、１ページに対する印刷データの割付を行う際に押下するためのページ集約ボタン３０２があげられ、このページ集約ボタン３０２が欧化されると、図７に示すページ集約画面４００が画像処理装置１０２に表示される。
【００６７】
ページ集約画面４００は、２in１、４in１、６in１等の１ページに対する印刷データの割付方法を設定することが可能であり、これらの割付方法に対応するボタンをそれぞれ備え、ボタンが押下された後、ＯＫボタン４０２が押下されると割付方法が決定される。
【００６８】
本ステップでは、現在、データファイルに対して設定された印刷設定（印刷データに含まれる印刷設定）に対しての印刷設定の変更を印刷設定画面３００に関わる画面を介して受付ける。
【００６９】
ステップＳ１３４では、画像処理装置１０２において、ステップＳ１３２で変更された印刷設定が、画像処理装置１０２で印刷することが可能な設定であるか否かを判定し、印刷することが可能な設定であると判定した場合、ステップＳ１４６へ処理を進め、印刷可能な設定であると判定しない場合、ステップＳ１３６へ処理を進める。
【００７０】
ここで、このような判定を行う理由としては、画像処理装置１０２においては、生成することが不可能な印刷設定の印刷データが存在するが、情報処理装置１０４においては、このような画像処理装置１０２において生成することが不可能な印刷設定でも印刷データを生成することが可能な場合がある。
【００７１】
例えば、１６in１の割付方法の場合、画像処理装置１０２では、このような割付をページに対して行うことができないため、所定の共有領域に保存されたデータファイルを用いて、印刷データを生成することができない。
【００７２】
一方、情報処理装置１０４では、１６in１のような割付方法であっても、プリンタドライバを介して印刷データを生成することが可能であるため、ユーザが所望する印刷設定をより広く対応することが可能となるため、このような判定を行っている。
【００７３】
印刷設定画面３００に関わる画面に関しては、画像処理装置１０２では、自身で設定可能な印刷設定にとどまらず、自身で設定不可能な印刷設定を表示する態様を備える。この設定不可能な印刷設定は、予め各画面に備えておく、あるいは、情報処理装置１０４で設定可能な印刷設定を受信して、各画面に表示する構成としても良い。
【００７４】
また、情報処理装置１０４で動作しているプリンタドライバのユーザインタフェースを画像処理装置１０２へ表示しても良い。
【００７５】
ステップＳ１３６では、画像処理装置１０２において、ステップＳ１３２で印刷設定の変更にかかる情報を情報処理装置１０４へ送信する。
【００７６】
尚、印刷設定の変更にかかる情報を情報処理装置１０４へ送信している間は、送信中通知画面５００（図８参照）を画像処理装置１０２へ表示して、ユーザにその旨を通知する。
【００７７】
ステップＳ１３８では、情報処理装置１０４において、ステップＳ１３６で画像処理装置１０２から送信された印刷設定の変更にかかる情報を受信する。
【００７８】
ステップＳ１４０では、情報処理装置１０４において、ステップＳ１３８で受信して印刷設定の変更にかかる情報に含まれる印刷設定に基づいて、データファイルを画像処理装置１０２で印刷実行可能なように印刷データを生成する。
【００７９】
本ステップにおいて、情報処理装置１０４に記憶した多数のデータファイルから、再印刷を行うデータファイルを特定する方法例としては、前述したように、ステップＳ１０２において印刷データを生成する際に、情報処理装置１０４において、データファイルの名称や当該データファイルの保管先に関わる情報を含めて生成しておき、画像処理装置１０２から送信される印刷設定の変更にかかる情報に、データファイルの名称や当該データファイルの保管先に関わる情報を含めて送信することで、情報処理装置１０４では、データファイルの名称や当該データファイルの保管先に関わる情報に基づいて、データファイルを特定する方法があげられる。
【００８０】
ステップS１４２では、情報処理装置１０４において、ステップS１４０で生成した印刷データを画像処理装置１０２へ送信し、ステップＳ１４４では、画像処理装置１０２において、ステップＳ１４２で情報処理装置１０４から送信された印刷データを受信する。
【００８１】
ステップＳ１４６では、画像処理装置１０２において、ステップＳ１４４で受信した印刷データを印刷し、ステップＳ１４８では、画像処理装置１０２において、所定の共有領域に記憶したデータファイルを削除する。
【符号の説明】
【００８２】
１００    画像処理システム
１０２    画像処理装置
１０４    情報処理装置
１０６    情報処理装置
１０８    ネットワーク
１１０    リーダ部
１１２    プリンタ部
１１４    操作部
１１６    記憶部
１１８    コントローラ部
１２０    原稿給紙ユニット
１２２    スキャナ部
１２４    給紙ユニット
１２６    マーキングユニット
１２８    排紙ユニット
１３０    ＣＰＵ
１３２    ＣＰＵ
１３４    ＣＰＵ
１３６    ＣＰＵ
１３８    プリンタＩＦ
１４０    ビデオバス
１４２    フィニッシャＩＦ
１４４    インプットＩＦ
１４６    画像処理部
【図１】
2016224721.tif 000003
【図２】
2016224721.tif 000004
【図３】
2016224721.tif 000005
【図４】
2016224721.tif 000006
【図５】
2016224721.tif 000007
【図６】
2016224721.tif 000008
【図７】
2016224721.tif 000009
【図８】
2016224721.tif 000010